(57)【要約】  【課題】補機駆動ベルトで駆動されるウォータポンプをシリンダブロックの一側面にボルトで固定している内燃機関において、補機駆動ベルトの引っ張りによるウォータポンプの位置ずれや撓み変形を防止する。【解決手段】ウォータポンプ１１はポンプハウジング２６とカバーハウジング２８とを有しており、ポンプハウジング２６がシリンダブロック１の一側面１ｂにボルトで固定されている。ポンプハウジング２６はシリンダブロック１の一端面１ａからはみ出しており、その開口端にカバーハウジング２８がボルト２７で固定されている。ポンプハウジング２６の一部に挿通したカラー４０とチェーンケース６とがボルト４２でシリンダブロック１に共締めされている。補機駆動ベルト１０によってポンプハウジング２６に下向きの力が掛かることを、カラー４０及びボルト４２で阻止できる。【選択図】図６
2015143494.tif 000002
【特許請求の範囲】
【請求項１】
クランク軸の軸方向に向いた一端面の外側に補機駆動ベルトが配置されているシリンダブロックと、補機駆動ベルトで駆動されるプーリを有するポンプユニットとを備えており、
前記ポンプユニットは、前記シリンダブロックのうち前記クランク軸と直交した方向に向いた一側面にボルトで固定されており、前記ポンプユニットのプーリは前記シリンダブロックの一端面の外側にはみ出ている構成であって、
前記ポンプユニットが前記クランク軸の軸方向にずれ移動することは許容して前記補機駆動ベルトの引っ張りによる移動に対しては抵抗となる位置決め手段を設けている、
内燃機関。
【発明の詳細な説明】
【技術分野】
【０００１】
本願発明は、ウォータポンプ等のポンプユニットの取り付け構造に特徴を有する内燃機関に関するものである。
【背景技術】
【０００２】
内燃機関のウォータポンプは補機駆動ベルトで駆動されており、補機駆動ベルトは、クランク軸の一端部に固定されたクランクプーリに巻き掛けられている。従って、クランク軸の一端部は、シリンダブロックの一端面から露出している。
【０００３】
ウォータポンプの構造は様々であるが、いずれにしても、羽根（インペラー）が固定されている回転軸はクランク軸と平行になっており、回転軸の一端部にプーリが固定されている。従って、ウォータポンプは補機駆動ベルトの近くに配置されている。
【０００４】
ウォータポンプの構造や配置態様は様々であり、例えば特許文献１には、ウォータポンプをシリンダブロックのうちクランク軸と平行な一側面の端部に固定して、プーリをシリンダブロックの一端の外側にはみ出して補機駆動ベルトに巻き掛けることが開示されている。この特許文献１では、水をウォータポンプに戻す流入管はクランク軸と平行な姿勢になっており、流入管は、シリンダブロックのうち補機駆動ベルトと反対側の他端面の側からウォータポンプに向けて延びている。
【０００５】
さて、ウォータポンプのハウジングはポンプハウジングとカバーハウジングとに分かれており、２つのハウジングを重ね合わせてボルトで締結している。そして、特許文献２には、ポンプ室を有するポンプハウジングをシリンダブロックに一体に設けることが開示されている。
【先行技術文献】
【特許文献】
【０００６】
【特許文献１】特開２０１０−７７８８３号公報
【特許文献２】特開平１０−２１２９５０号公報
【発明の概要】
【発明が解決しようとする課題】
【０００７】
特許文献１のようにハウジングをシリンダブロックとは別体にしてボルトでシリンダブロックに締結する構造を採用すると、市販品のような汎用的なウォータポンプを使用できる利点や、シリンダブロックの構造が異なる多くの機種で共通のウォータポンプを使用してコスト低減に貢献できる等の利点、或いは、設計変更にも簡単に対応できる等の利点を有する。
【０００８】
他方、ウォータポンプをシリンダブロックをボルトで締結するにおいて、ボルトが嵌まるボルト挿通穴はボルトよりも少し大径に設定していることが普通である一方、補機駆動ベルトの張力がプーリをクランク軸の方に引くように作用するため、補機駆動ベルトの引っ張りによってウォータポンプの位置がずれてしまうおそれもある。
【０００９】
特に、シリンダブロックの一端面からプーリがはみ出ている長さが長くなるほど、ボルトによる締結部に大きなモーメントが掛かるため、位置ずれが生じやすくなり、位置ずれが生じると、ウォータポンプと流入管との芯がずれて冷却水漏れが発生したり、ウォータポンプとシリンダブロックとの間に塗布しているシール剤が剥がれて冷却水漏れが発生したり、プーリの姿勢が変わって円滑な回転が阻害されたりする問題が生じるおそれがある。
【００１０】
また、位置ずれは発生しなくても、補機駆動ベルトの駆動によってウォータポンプを構成するハウジングにモーメントが作用することで、ハウジングに撓み変形が発生し、回転軸の回転にこじれが発生して耐久性の低下や吐出力の低下を招来するおそれもある。
【００１１】
他方、特許文献２のように一方のハウジングをシリンダブロックに一体に形成すると、補機駆動ベルトによる位置ずれの問題は生じないが、市販品を使用したり複数機種でウォータポンプを共通化したりすることができず、かつ、設計変更が面倒になる等の問題がある。
【００１２】
本願発明はこのような現状に鑑み成されたものであり、特許文献１と同様にポンプユニットをシリンダブロックとは別体に構成してボルトで締結する方式を採用しつつ、位置ずれを防止せんとするものである。
【課題を解決するための手段】
【００１３】
本願発明は、クランク軸の軸方向に向いた一端面の外側に補機駆動ベルトが配置されているシリンダブロックと、補機駆動ベルトで駆動されるプーリを有するポンプユニットとを備えており、前記ポンプユニットは、前記シリンダブロックのうち前記クランク軸と直交した方向に向いた一側面にボルトで固定されており、前記ポンプユニットのプーリは前記シリンダブロックの一端面の外側にはみ出ている、という基本構成になっている。
【００１４】
そして、前記ポンプユニットが前記クランク軸の軸方向にずれ移動することは許容して前記補機駆動ベルトの引っ張りによる移動に対しては抵抗となる位置決め手段を設けている。位置決め手段はポンプユニットをシリンダブロックに突っ張らせるものなので、位置決め手段の要素はシリンダブロックとポンプユニットとの両方に設けられている必要がある。
【００１５】
位置決め手段は、実施形態のようなボルトの他にも、ボスと凹所との組み合わせや、互いに当接した突起同士の組み合わせ、或いはポンプユニットとシリンダブロックとの両方に嵌まるピンなど、様々な態様を採用できる。
【発明の効果】
【００１６】
本願発明では、ポンプユニットのプーリが補機駆動ベルトで引かれて、ポンプユニットに対してクランク軸の側に引っ張られるような外力が作用しても、位置決め手段により、ポンプユニットがクランク軸の側にずれ移動することが阻止される。このため、位置ずれによってポンプユニットとシリンダブロックとの流路がずれたり、シール剤が剥がれて流体の漏れが発生したりといった問題は生じない。また、ポンプユニットを構成するハウジングに撓み変形が発生することも防止できるため、回転軸のこじれによる耐久性の低下や吐出力の低下といった問題も防止できる。
【００１７】
位置決め手段として実施形態のようにボルトを使用すると、ポンプユニットはボルトと直交したいずれの方向にも移動不能となり、ポンプユニットがシリンダブロックの一側面から離れることも防止できるため、位置と姿勢の安定を向上できて特に好適である。
【００１８】
プーリがシリンダブロックの一端面から突出している寸法が大きくなると、ポンプユニットの締結箇所に作用するモーメントも大きくなるので、本願発明は、例えば、シリンダブロックの一端面に厚さの浅いチェーンケースが固定されていて、シリンダブロックの一端面からプーリが大きくはみ出ているような場合に特に有益であると云える。
【００１９】
さて、ポンプユニットをボルトでシリンダブロックの一側面に締結する場合は、シリンダブロックの鋳造の誤差やボルトがねじ込まれるねじ穴の加工誤差等により、ポンプユニットの位置がクランク軸の軸方向に多少はずれることがあり得る。
【００２０】
そして、例えばポンプユニットをシリンダブロックの一端面にボルトで締結すると、加工誤差を吸収できずにポンプユニットを締結できなくなったり、プーリの位置が補機駆動ベルトからずれてしまったり、ポンプユニットに大きなひずみが生じたりするおそれがあるが、本願発明では、ポンプユニットがクランク軸の軸方向に移動することは許容しているため、シリンダブロックの加工誤差等を吸収して、ポンプユニットを正確な位置に締結することができる。
【図面の簡単な説明】
【００２１】
【図１】実施形態に係る内燃機関の概略正面図である。
【図２】内燃機関の側面図で、図１のII-II 視図である。
【図３】要部の拡大側面図である。
【図４】（Ａ）はプーリを仮想線で示した状態での図３の IV-IV視断面図、（Ｂ）はカバーハウジングの正面図である。
【図５】（Ａ）はポンプハウジングとカバーハウジングとの分離側面図、（Ｂ）は（Ａ）のＢ−Ｂ視断面図（ポンプハウジングの正面図）である。
【図６】図３の及び図４（Ａ）のVI-VI 視断面図である。
【発明を実施するための形態】
【００２２】
(1).内燃機関の概要
次に、本願発明の実施形態を図面に基づいて説明する。まず、内燃機関の概要を説明する。図１，２に示すように、内燃機関は、シリンダブロック１とその上面に固定されたシリンダヘッド２、シリンダヘッド２の上面に固定されたシリンダヘッドカバー３、シリンダブロック１の下面に固定されたオイルパン４を備えており、シリンダブロック１及びシリンダヘッド２においてクランク軸５の一端方向に向いた一端面１ａ，２ａには、１枚のチェーンケース６が多数本のボルト７で固定されている。
【００２３】
以下では便宜的に、方向を特定するための前後・左右の文言を使用するが、クランク軸５の軸方向を前後方向、クランク軸５と直交した水平方向を左右方向としている。これらは図１、２に明示している。
【００２４】
図示していないが、シリンダブロック１の一端面１ａとチェーンケース６との間には空間が空いており、この空間にタイミングチェーンが配置されている。また、チェーンケース６の下端にはオイルフィルター８を設けている。
【００２５】
クランク軸５の一端部はチェーンケース６の外側に突出しており、この突出した端部にクランクプーリ９を固定している。クランクプーリ９には補機駆動ベルト１０が巻き掛けられており、補機駆動ベルト１０で、ウォータポンプ１１とアエコン用コンプレッサ１２とが駆動されている。従って、ウォータポンプ１１とアエコン用コンプレッサ１２は、それぞれプーリ１３，１４を備えている。なお、補機駆動ベルト１０ではオルタネータ等の他の補機を駆動することも可能である。
【００２６】
ウォータポンプ１１とアエコン用コンプレッサ１２は、シリンダブロック１のうち、クランク軸５と直交した一方側の一側面１ｂの側に寄せて配置されている。すなわち、図１において右側に寄せて配置されており、補機駆動ベルト１０は図１において時計回りに周回する。このため、ウォータポンプ１１のプーリ１３には、白抜き矢印で示すように、補機駆動ベルト１０の駆動によって略下向きの荷重（押圧力）が作用する。
【００２７】
内燃機関は例えば３気筒等の多気筒方式であるが、各排気ポートに連通した集合通路がシリンダヘッド２の内部に形成されており、図２のとおり、集合通路に連通した排気出口穴１６がシリンダヘッド２の一側面２ｂに開口している。そして、シリンダヘッド２の一側面２ｂには、排気出口穴１６に連通した継手管１７が固定されており、継手管１７に、内部に触媒を配置した触媒ケース１８が接続されている。
【００２８】
触媒ケース１８の上部１８ａと下部１８ｂとはそれぞれテーパ状になっており、下端にスリーブ１９を固定している。スリーブ１９には、排気管（図示せず）が接続されている。また、スリーブ１８にはブラケット板２０が固定されている。
【００２９】
ウォータポンプ１１はシリンダブロック１の一側面１ｂに配置されており、冷却水が流入する流入通路２１は、シリンダブロック１の他端面１ｃの方向（或いは触媒ケース１８に向いた方向）に開口しており、流入通路２１に流入管２２が接続されている。流入管２２は、触媒ケース１８の後ろを通って概ねシリンダブロック１を横切る姿勢になっており、その始端は、シリンダヘッド２の一側面２ｂのうちチェーンケース６と反対側の端部に接続されている。
【００３０】
図示していないが、シリンダヘッド２のうちチェーンケース６と反対側の端部には、冷却水をラジェータやヒータ等に分配するためのサーモ弁を備えた分配装置を設けており、ラジェータで冷却された冷却水（或いは、温度が低くてラジェータを通らずにリターンする冷却水）は、分配装置から流入管２２を介してウォータポンプ１１に戻るようになっている。
【００３１】
本実施形態の内燃機関は排気ガスの一部を吸気系に戻すＥＧＲ装置を備えており、ＥＧＲ装置の一部として、ＥＧＲガスを取り出すＥＧＲパイプ２３が触媒ケース１８の下部１８ｂに接続されている。ＥＧＲパイプ２３は、触媒ケース１８とウォータポンプ１１との間の部位に立ち上がってから、シリンダヘッド２のうちチェーンケース６と反対側の他端部に除けて延びており、触媒ケース１８とウォータポンプ１１との間に位置した中途部にＥＧＲクーラ２４が介挿されている。
【００３２】
そして、ＥＧＲクーラ２４は流入管２２にも介挿されている。従って、冷気水の全量がＥＧＲクーラ２４を経由してウォータポンプ１１に戻り、流入管２２を通る冷却水によってＥＧＲガスが冷却される。ＥＧＲガスはＥＧＲクーラ２４を下から上に流れ、冷却水は、ＥＧＲクーラ２４を概ね左右方向（横方向）に流れている（ＥＧＲクーラ２４の冷却水入口と冷却水出口とは高さが少し違っているので、実際には、冷却水は上下方向にも流れている。）。
【００３３】
ＥＧＲクーラ２４は、ウォータポンプ１１のやや下方に配置されている。このため、流入管２２は、その始端から斜め下向きに延びてＥＧＲクーラ２４に至り、ＥＧＲクーラ２４２ら斜め上向きの姿勢でウォータポンプ１１の流入通路２１に向かっている。
【００３４】
(2).ウォータポンプの詳細
次に、他の図面も参照してウォータポンプ１１の構造や取り付け態様等を説明する。例えば図５から理解できるように、ウォータポンプ１１は、シリンダブロック１にボルト２５で固定されたポンプハウジング２６と、ポンプハウジング２６にボルト２７で固定されたカバーハウジング２８とを備えており、カバーハウジング２８で回転軸２９を回転自在に保持し、回転軸２９の外端部にはプーリ１３を固定している。ポンプハウジング２６とカバーハウジング２７との重合部はフランジになっており、このフランジがボルト２７で締結されている。
【００３５】
図６のとおり、回転軸２９の内端部はポンプハウジング２６に形成したポンプ室３０に至っており、回転軸２９の内端部に羽根（インペラー）３１を固定している。ポンプ室３０の軸心は流入通路２１の軸心をは挟んでシリンダブロック１から少し遠い位置にあるため、流入通路２１は平断面視で傾斜した（或いは曲がった）中間部３２を有している。
【００３６】
ポンプハウジング２６は前後方向（クランク軸５の軸方向）に長い形態であり、ポンプ室３０はチェーンケース６の側に開口している。そこで、カバーハウジング２８は、チェーンケース６の側からポンプハウジング２６に重なっている。図４，５のとおり、ポンプハウジング２６とカバーハウジング２８は側面視で略五角形になっており、各頂点部の箇所において、ボルト２７で締結されている。
【００３７】
従って、両者は５本のボルト２７で締結されているが、チェーンケース６の側に寄った２本はカバーハウジング２８を貫通してポンプハウジング２６にねじ込んでおり、残りの３本はポンプハウジング２６を貫通してカバーハウジング２８にねじ込んでいる。カバーハウジング２８は側面視で釣り鐘を横にしたような形態になっており、内部には、細長いシール性軸受け３３で回転軸２９が支持されている。なお、ウォータポンプ１１は、正面視で略四角形や略円形などとすることも可能である。
【００３８】
ポンプハウジング２６は前後方向に長い形態であり、ポンプ室３０に連通して前後方向に長い吐出通路３４を備えている。流入通路２２及びポンプ室３０と吐出通路３４とは左右方向にずらして配置されており、従って、側面視では、流入通路２２及びポンプ室３０と吐出通路３４とは重なり合っている。
【００３９】
正確には、吐出通路３４がシリンダブロック１の側に位置して、流入通路２２及びポンプ室３０がシリンダブロック１から離れた側に位置しており、吐出通路３４の先端にはシリンダブロック１に向けて開口した吐出口３５が空いており、吐出口３５は、シリンダブロック１に設けたメインギャラリー３６に連通している。
【００４０】
図５（Ｂ）に示すように、ポンプ室３０の一部と吐出通路３４とは逃がし穴３７を介して連通しており、流入通路２１と吐出通路３４とは略平行に並んでおり、かつ、冷却水の流れ方向が逆になっている。従って、流入通路２１に流入した冷却水は、平面視でＵターシして流れてシリンダブロック１のメインギャラリー３６に送られる。
【００４１】
そして、流入通路２１は吐出口３５よりもカバーハウジング２８の側にずらして設けており、従って、ポンプハウジング２６は、流入通路２１を設けた部分からシリンダブロック１の側に向けて段落ちしており、段差面に流入通路２１が開口して、段落ちして低くなった部分に吐出口３５が開口している。このように段落ちさせることで、流入通路２１をカバーハウジング２８の側にずらしつつ、流入通路２１と吐出通路３４とをシリンダブロック１の左右方向にオーバーラップさせている。
【００４２】
ポンプハウジング２６の締結作業に際しては、ボルト２５はシリンダブロック１の一側面１ｂの側から（左右方向の外側から）レンチで回転操作する。従って、ポンプハウジング２６の左右手前側には空間が空いており、従って、ポンプハウジング２６の左右方向の外側は作業空間としてデッドスペースになっているが、本実施形態では、流入通路２１及びポンプ室３０と吐出通路３４とが左右方向に重なっているため、他の部材の配置の邪魔になることなく、流入通路２１及びポンプ室３０と吐出通路３４とを重複させてコンパクト化できる。
【００４３】
つまり、例えば、流入通路２１及びポンプ室３０と吐出通路３４とが上下には離れて配置されていると、ポンプハウジング２６の上下幅は必然的に大きくなってポンプハウジング２６が大型化するのみならず、他の部材の配置の邪魔になるおそれもあるが、本実施形態では流入通路２１及びポンプ室３０ング２６が左右方向に重なっているため、コンパクト化して他の部材の配置も阻害しないのである。なお、実施形態では、流入管２２は、ポンプハウジング２６をボルト２５で固定した後に嵌め込まれるので、流入管２２がボルト２５の締結の邪魔になることはない。もとより、ボルト２５の配置位置を流入管２２と干渉しない部位に設けておけば、先に流入管２２を嵌め込んで締結することも可能である。
【００４４】
ポンプハウジング２６に段落ち部を設けたことで、平面視でのポンプハウジング２６の厚さが変化している。そこで、便宜的に、流入通路２１よりもカバーハウジング２８の側に位置した側面視テーパ状の部分を膨大部と呼んで符号２６ａで示し、段落ちして平面視で薄くなった部分を細幅部と呼んで符号２６ｂで示す。
【００４５】
図３のとおり、ポンプハウジング２６は３本のボルト３７でシリンダブロック１に締結されている。３本のボルト３７のうち２本の細幅部２６ｂの上下部に位置しており、他の１本は、大径部２６ａのうち細幅部２６ｂに近い側の下端に位置している。いずれの部位も、ボルト３７が重なる部分はフランジになっている。
【００４６】
(3).位置決め手段
ポンプハウジング２６の配置位置は、一義的にはシリンダブロック１のメインギャラリー３６によって規制されるが、本実施形態では、チェーンケース６に多くの機能を持たせているためその厚さ（前後方向の厚さ）が厚くなっており、このため、ウォータポンプ１１のプーリ１３はシリンダブロック１の一端面１ａから大きく張り出している。
【００４７】
その結果、ポンプハウジング２６はカバーハウジング２８と反対側の半分程度のエリアがシリンダブロック１に固定されているに過ぎず、ポンプハウジング２６の半分程度は側面視でシリンダブロック１の一端面１ａの外側にはみ出ており、このようにシリンダブロック１から張り出したポンプハウジング２６の開口端にカバーハウジング２８が固定されている。
【００４８】
従って、プーリ１３はシリンダブロック１の一端面１ａから大きく離れているが、既述のようにプーリ１３には補機駆動ベルト１０によって下向きの荷重が掛かるため、ポンプハウジング２６の締結部には、補機駆動ベルト１０の駆動による引っ張り力（或いは押圧力）が下向きの大きなモーメントとして作用し、何等の手段を講じないと、ポンプハウジング２６が下向きにずれて、吐出通路３４とメインギャラリー３６との位置がずれたり、流入管２２と流入通路２１との芯がずれて冷却水漏れが発生したり、ポンプハウジング２６とシリンダブロック１との合わせ面に塗布しているシール剤が剥がれて冷却水漏れが発生したり、或いは、ポンプハウジング２６やカバーハウジング２８にひずみが発生して回転軸２９の回転にこじれが発生したりするおそれがある。
【００４９】
この点について本実施形態では、図６に明示するように、ポンプハウジング２６のうちカバーハウジング２８と重なっている側に、正面視でチェーンケース６の一部及びシリンダブロック１の一端面１ａの一部と重なるはみ出し部３９を設けて、はみ出し部３９に、当該はみ出し部３９の厚さ寸法よりも僅かに長い長さで前後方向に長手のカラー４０を嵌め込み、カラー４０とチェーンケース６の一側部とをボルト１でシリンダブロック１に共締めしている。従って、ボルト４１における頭の座面とチェーンケース６の外面との間には若干の寸法ｅの隙間が空いている。カラー４０が嵌まっている穴を、符号４２で示している。
【００５０】
カラー４０はポンプハウジング２６のはみ出し部３９にきっちり嵌まっており、また、ボルト４２はチェーンケース６に対してきっちり嵌まっている。本実施形態では、ボルト４２とカラー４０が請求項に記載した位置決め手段を構成している（厳密には、カラー４０が嵌まっている穴４２も位置決め手段を構成している。）。
【００５１】
この構成において、ポンプハウジング２６が下向きにずれることがボルト４２及びカラー４０によって阻止されるため、補機駆動ベルト１０の周回によってプーリ１３に下向きの力が作用しても、その力はプポンプハウジング２６に作用することはなく、ポンプハウジング２６は安定した状態に保持される。
【００５２】
その結果、流入管２２と流入通路２１との芯ずれによる冷却水漏れや、ポンプハウジング２６のずれによる冷却水漏れ、或いはポンプハウジング２６やカバーハウジング２８にひずみが生じることによる回転軸２９のこじれといったことを防止できる。
【００５３】
また、仮に、チェーンケース６を直接にボルト４２でシリンダブロック１に締結すると、シリンダブロック１の加工誤差やチェーンケース６の加工誤差により、ポンプハウジング２６の前後位置がずれてしまってウォータポンプ１１の前後位置を正確に規定できなくなるおそれがあるが、本実施形態ではボルト４２の押圧力はチェーンケース６には作用しておらず、ポンプハウジング２６は前後方向に移動可能であるため、プーリ１３が正確な位置になるようにポンプハウジング２６を正確に位置決めしつつ、補機駆動ベルト１０によるずれを防止できるのである。
【００５４】
本実施形態ではポンプハウジング２６のはみ出し部３９にカラー３０を嵌め入れたが、特別のはみ出し部３９を設けずに、ポンプハウジング２６のフランジにカラー４０を嵌め入れてもよい。また、カラー４０を使用することに代えて、段付きリーマボルトを使用することも可能である。更に、カラー４０（或いは段付きリーマボルト）をカバーハウジング２８に貫通させてもよい。
【００５５】
位置決め手段としてボルト４２を使用する場合、チェーンケース６を共締めせずに、カラー４０をシリンダブロック１の一端面１ａに当接させてもよいが、本実施形態のようにチェーンケース６に貫通させると、補機駆動ベルト１０の駆動による引っ張りがボルト４２に対してモーメントとして作用することを防止できるため、位置決め機能を向上できる利点や、チェーンケース６の締結強度も向上できる利点がある。
【００５６】
ポンプハウジング２６をシリンダブロック１の一側面１ｂに位置決めすることも可能であるが、本実施形態のようにシリンダブロック１の一端面１ａに対して位置決めすると、ポンプハウジング２６がシリンダブロック１の一側面１ｂから離反することも防止できる利点がある。プーリ１３がシリンダブロック１の一端面１ａから大きくはみ出ていると、ポンプハウジング２６に作用するモーメントも大きくなるが、シリンダブロック１の一端面１ｂに対して位置決めすると、できるだけプーリ１３に近い部位を位置決めできるため、モーメントを著しく抑制できて好適である。
【００５７】
位置決め手段としては、ねじ込み式のボルトに代えて、打ち込み式又は単なる挿入式のピンを挿入することも可能である。或いは、シリンダブロック又はチェーンケースとポンプユニットとのうちいずれか一方にクランク軸の軸方向に突出したボスを形成し、他方にはボスが嵌まる穴（凹所）を形成するといったことも可能である。また、本願発明は、オイルポンプ等の他のポンプユニットにも適用できる。
【産業上の利用可能性】
【００５８】
本願発明は、ウォータポンプ等のポンプユニットに実際に適用できる。従って、産業上利用できる。
【符号の説明】
【００５９】
１  シリンダブロック
１ａ  一端面
１ｂ  一側面
２  シリンダヘッド
５  クランク軸
６  チェーンケース
９  クランクプーリ
１０  補機駆動ベルト
１１  ウォータポンプ
１３  ウォータポンプのプーリ
２１  ウォータポンプの流入通路
２２  冷却水の流入管
２４  ＥＧＲクーラ
２５  ウォータポンプ締結用のボルト
２６  ウォータポンプのポンプハウジング
２６ａ  膨大部
２６ｂ  細幅部
２７  ポンプハウジングとカバーハウジングとを締結するボルト
２８  カバーハウジング
３９  はみ出し部
４０  位置決め手段を構成するカラー
４１  位置決め手段を構成するボルト
【図１】
2015143494.tif 000003
【図２】
2015143494.tif 000004
【図３】
2015143494.tif 000005
【図４】
2015143494.tif 000006
【図５】
2015143494.tif 000007
【図６】
2015143494.tif 000008